(57)【要約】モジュラーホブ装置（１）が、当該ホブ装置の全ての構成部品（５，６）を制御するための制御装置（２）を有する。
2019510957.tif 000002
【特許請求の範囲】
【請求項１】
モジュラーホブ装置（１）用の制御装置（２）であって、
１．１  モジュール式に構成された複数のホブ（５）を接続するための少なくとも２つのインターフェース（３）と、
１．２  少なくとも１つの煙霧排出装置（６）を制御するための少なくとも１つの信号接続部（４）と、
を有する制御装置。
【請求項２】
特にエネルギー伝達のためのそれらの機構に関して異なる複数のホブ（５）を接続するための少なくとも２つのインターフェース（３）を有する、ことを特徴とする請求項１に記載の制御装置（２）。
【請求項３】
タッチスクリーン（９）、及び／又は制御装置（２）に関するその相対位置に依存して異なる機能性を有する取り外し可能な操作ノブ（８）、を有する少なくとも１つのユーザーインターフェース（２０）を有する、ことを特徴とする請求項１又は２に記載の制御装置（２）。
【請求項４】
前記タッチスクリーン（９）が、制御入力を確実に識別するために、多数存在する接触センサー装置（１７，１８）の形式の、及び／又は多数存在する評価ユニットの形式の冗長なハードウェア構成部品を有する、ことを特徴とする請求項３に記載の制御装置（２）。
【請求項５】
制御装置（２）、特に前記ユーザーインターフェース（２０）が、そこに実際に接続した構成部品（５，６）に自動的に適合される、ことを特徴とする請求項３又は４に記載の制御装置（２）。
【請求項６】
制御装置（２）に接続した構成部品（５，６）の全て又は全数と比べて減少した一部を制御するために互いに独立して構成された多数のユーザーインターフェース（２０）を有する、ことを特徴とする請求項３〜５のいずれか一項に記載の制御装置（２）。
【請求項７】
専用ハウジングを有するカプセル収納モジュールとして構成される、ことを特徴とする請求項１〜６のいずれか一項に記載の制御装置（２）。
【請求項８】
特にグリースフィルターの位置を識別するための複数の内部センサー（１８）を有し、及び／又は複数の外部センサー（１７）を接続するための複数のインターフェース（３）を有する、ことを特徴とする請求項１〜７のいずれか一項に記載の制御装置（２）。
【請求項９】
前記インターフェース（３）に接続した構成部品（５，６）を自動的に識別するために、制御装置（２）が、信号ベースのコーディングを検出でき、又は前記インターフェース（３）の構造的に別個の接続構造を有する、ことを特徴とする請求項１〜８のいずれか一項に記載の制御装置（２）。
【請求項１０】
請求項１〜９のいずれか一項に記載の一体化された制御装置（２）を有する下降気流換気扇の形式の煙霧排出装置（６）。
【請求項１１】
コントローラの無い構成を特徴とするホブ（５）。
【請求項１２】
信号ベースのコーディングのための電子部品、又は制御装置（２）による前記ホブの自動識別のための構造的に別個の接続構造を有する、ことを特徴とする請求項１１に記載のホブ（５）。
【請求項１３】
モジュラーホブ装置（１）であって、
１３．１  少なくとも１つのホブ（５）、
１３．２  少なくとも１つの煙霧排出装置（６）、及び
１３．３  請求項１〜９のいずれか一項に記載の少なくとも１つの制御装置（２）
を有するモジュラーホブ装置（１）。
【請求項１４】
前記少なくとも１つの制御装置（２）が、ホブ装置（１）の全ての構成部品（５，６）を制御するのに適している、ことを特徴とする請求項１３に記載のモジュラーホブ装置（１）。
【発明の詳細な説明】
【技術分野】
【０００１】
本特許出願は独国特許出願ＤＥ１０２０１６２０５９１１．４の優先権を主張し、その内容は参照によりここに組み込まれる。
【０００２】
本発明は、モジュラーホブ装置用の制御装置に関する。本発明はさらに、一体化された制御装置を有する煙霧排出装置に関する。さらには、本発明はホブに関する。最後に、本発明はモジュラーホブ装置に関する。
【背景技術】
【０００３】
例えば、特許文献１が、複数のホブと噴霧排出装置を有するホブ装置を開示している。この装置の場合、ホブの各々は専用の別個のコントローラ装置を有する。特許文献２が、多数の料理箇所とディスプレイユニットを有する装置を開示している。
【先行技術文献】
【特許文献】
【０００４】
【特許文献１】ＤＥ１０２００９０２５０３８Ａ１
【特許文献２】ＤＥ１０２００９０５５１４７Ａ１
【特許文献３】ＤＥ１０２００７００２２４１Ａ１
【発明の概要】
【発明が解決しようとする課題】
【０００５】
本発明の目的は、モジュラーホブ装置用の制御装置を改良することである。
【課題を解決するための手段】
【０００６】
この目的は請求項１の特徴により達成される。本発明の核心は、複数のモジュラーホブを接続するための少なくとも２つのインターフェースを備えた制御装置を構成することにある。これにより、制御装置により、ホブ、特に多数のホブと、煙霧排出装置、特に下降気流換気扇・下向き換気扇（downdraft extractor fan）とを制御することが可能になる。
【０００７】
ゆえに制御装置はホブ装置用の中央制御装置である。それはモジュール式に構成され得る。それは特に別個のモジュールとして、すなわちホブ及び／又は煙霧排出装置とは独立して構成されてもよい。
【０００８】
ホブ装置は、特に少なくとも１つのホブと少なくとも１つの煙霧排出装置を有する。ホブは、ガラスセラミックホブ、誘導加熱ホブ、鉄板ホブ（鉄板焼きホブ）、ガスホブ（特にＥガスホブ）、グリル（ホットプレート）、鉄板（griddle）、たっぷりの油で揚げるフライヤー、真空調理ホブ又は他のホブである。ホブは特に電気ホブである。ホブは特に電気エネルギーを直接又は間接に熱に変換する。この目的のために、ホブは電気構成部品、特に加熱フィラメント、ハロゲン白熱電球、誘導コイル、マイカナイト加熱面、平坦な加熱要素又は他の熱生成要素を有する。
【０００９】
煙霧排出装置は特に、特に下降気流換気扇、すなわち料理煙霧をホブ平面の下の方向に排出する煙霧排出機である。このタイプの煙霧排出装置は下降気流装置とも呼ばれる。
【００１０】
制御装置は特に、実際に接続した複数のホブとは独立して構成されている。これは、特に、同じ制御装置が異なるホブを制御するのに等しく適していることを意味すると理解すべきである。制御装置により制御可能な複数のホブは、上で述べた選択肢から選択できる。制御装置の機能は実際に接続した複数のホブに自動的に適合できる。
【００１１】
この目的のために、特に、制御装置に複数のホブを接続するための適切な複数のインターフェースが設けられる。
【００１２】
それらインターフェースは特に、複数の接続プラグを受容する複数のソケットを有するか、ソケットとして構成される。これは特にＲＪソケット、特にＲＪ２２、ＲＪ４５又はＲＪ５０ソケットを含む。
【００１３】
それらインターフェースはまた、複数の接続ソケットを受容する複数のプラグを有してもよい。ホブは、特にそれぞれ接続ケーブルにより制御装置に接続されてもよい。それら接続ケーブルは、それらの端部に接続プラグ及び／又は接続ソケットを有してもよい。反対側端部で、それらはそれぞれホブに固定して接続されてもよい。
【００１４】
制御装置は特に保護ハウジング内に配置されてもよい。ハウジングは、それが特に液密及び／又は防塵（ほこり止め）、好ましくは少なくとも防沫であるように構成される。それは、薄膜を備えて又は備えずに、特に液密薄膜及び／又は気密薄膜を備えて又は備えずに構成される。それはさらに、絶縁性を具備してもよい。それにより、特にホブから放たれる放射熱を考慮して、特に制御装置の電気構成部品の望まれない加熱を避けることができる。制御装置は特に別個のハウジング内に配置されてもよい。ハウジングは特に金属やプラスチックから形成される。
【００１５】
本発明の１つの側面に従えば、制御装置は少なくとも２つ、特に３，４，５，６又は７以上のホブ接続用インターフェース、特に異なるホブを接続するためのインターフェースを有する。ホブは特に、エネルギー伝達のためのそれらの機構に関して異なる。制御装置の柔軟性が結局改良される。まず、ホブはインターフェースを介して制御できる。次に、インターフェースの補助により、個々のホブの操作状態に関する情報を制御装置に伝達することができる。
【００１６】
本発明の１つの側面に従えば、制御装置は、専用のエネルギー供給装置を備えた２以上のホブ、特に別個の電力ケーブルを備えた２以上のホブを制御するよう機能する。
【００１７】
別なバリエーションによれば、制御装置は、外部エネルギー供給装置を有しない少なくとも２つのホブを接続するよう機能する。
【００１８】
別なバリエーションによれば、制御装置は、少なくとも２つのホブを制御するよう機能し、少なくとも１つのホブは専用の電力供給装置接続部を有し、少なくとも１つのホブは制御装置のインターフェースを介してエネルギーを供給される。
【００１９】
制御装置は特にバスシステムとして構成されるか、このタイプのバスシステムを有してもよいそれは特にいわゆるＬＩＮバス（ローカル  インターコネクト  ネットワークバス）又はＥＧＯバスを有してもよい。それはまたＣＡＮバス（コントローラ  エリア  ネットワークバス）を有してもよい。改良されたバスバリエーションも可能である。
【００２０】
バスは特に、マルチマスターバス又はマスタースレーブバスとして構成されてもよい。
【００２１】
バス技術は、特にハイレベルバスシステム又はローレベルバスシステムに接続するためのアダプターを有してもよい。
【００２２】
ホブは特に、インターフェースのそれぞれのバススタンダードに対応する接続部をそれぞれ有してもよい。
【００２３】
本発明の別な側面によれば、制御装置は、１又は複数の接触センサー（特にタッチスクリーン）を有する少なくとも１つのユーザーインターフェース、及び／又は取り外し可能な操作ノブを有する。ユーザーインターフェースは特に、特にタッチスクリーンの形式の入力要素と、特にスクリーンの形式の出力ユニットとの組み合わせを有してもよい。ユーザーインターフェースは、情報（特に制御情報）をユーザーと交換するための手段である。ユーザーインターフェースは特に操作ユニットである。ユーザーインターフェースは、ユーザーによる入力（特に制御入力）を可能にし、及び／又は情報（特に制御情報）をユーザーに伝達する手段を構成する。ユーザーによる入力のために、ユーザーインターフェースは、例えば押しボタン、スイッチ及び／又は接触要素を有してもよい。情報をユーザーに出力するために、ユーザーインターフェースは、触感手段及び／又は光学手段を有してもよい。例えば、ユーザーインターフェースは、光源（特にＬＥＤ（特に白熱ランプ））及び／又はスクリーン（特にＴＦＴスクリーン）を有してもよい。スクリーンは、特にＬＥＤ，ＬＣＤ，ＯＬＥＤとして又はプロジェクションスクリーンとして構成されてもよい。
【００２４】
取り外し可能な操作ノブは、制御装置に関するその相対位置に依存して異なる機能性を有してもよい。制御装置は、特に接触ＴＦＴディスプレイ（ＴＦＴタッチディスプレイ、薄膜トランジスタディスプレイ）を有してもよい。これは、ホブの及び煙霧排出装置の特に便利な制御を可能とする。
【００２５】
本発明の別な側面によれば、タッチスクリーンは、多数存在する（多重に存在する）接触センサー装置の形式及び／又は多数存在する（多重に存在する）評価ユニットの形式の冗長なハードウェア構成部品を有する。結局達成できることは、タッチスクリーンが特に堅牢且つ確実に構成されることである。制御入力は、従って、特にタッチスクリーンの汚染の場合に、特に確実に識別できる。接触センサー装置は、光センサー、抵抗センサー、容量性センサー及び／又は誘導センサーとして構成されてもよい。接触センサーは例えば表面センサーとして構成できる。接触センサーはまた、薄膜センサーやガラスセンサーであってもよい。好ましくは、接触センサー装置はＴＦＴスクリーンに一体化される。センサー装置とディスプレイユニットは互いから分離して構成されてもよい。それらは特に、互いに光学的に接続した（特に接着された）別個ユニットとして構成されてもよい。特に、接触センサーを光学バインダーによりディスプレイユニットに接着することが可能である。これは特に有利な光学的性質をもたらす。さらに、これは特に堅牢な構成をもたらす。評価ユニットは、制御装置とセンサー装置の間の単線に配置される。評価ユニットはセンサーで受信された情報を直接検出するよう機能する。評価ユニットは、タッチスクリーンが作動される位置を検出する。情報を転送するために、評価ユニットは制御装置に接続している。接触センサー装置及び／又は評価ユニットは、タッチスクリーンに多数形成されている。例えば、接触センサー装置は２倍又は数倍（二重又は多重）形成されてもよい。評価ユニットもまた、２倍又は数倍（二重又は多重）存在してもよい。接触センサー装置及び／又は評価ユニットが冗長に構成される場合、冗長要素はそれぞれ独自にそれらの機能を果たすことができる。異なる評価ユニットは特に、検出された入力の信頼性チェック（もっともらしさチェック）を実行でき、それにより入力信号の機能的に信頼できる識別を保証する。
【００２６】
好ましくは、多数の入力が同時に読み取られる。特に、あいまいでない識別がこの場合に保証される。
【００２７】
センサー装置は特にマルチタッチセンサーであってもよい。
【００２８】
制御装置は７セグメントディスプレイを有してもよい。
【００２９】
本発明の別な側面によれば、制御装置は操作ノブによって操作可能である。制御装置の操作性はまた、この手段によって改良される。操作ノブは特に、タッチスクリーンを介する操作とは独立して制御装置の操作を可能にする。これは幾つかのユーザーに好まれる。制御装置は、特にタッチスクリーンを介してだけでなく、その代わりに１又は複数の操作ノブによっても作動できる。
【００３０】
これら２つのオプションのうちの１つのみを有する代替（バリエーション）も同様に可能である。
【００３１】
操作ノブは、制御装置に対するその相対位置に依存して、特に操作パネル（特にタッチスクリーン）上のその位置に応じて異なる機能を有する。制御装置の操作はまた、この手段によってさらに改良される。
【００３２】
例えば操作ノブを、一方で異なるホブを制御するために異なる位置で使用でき、他方で煙霧排出装置を制御するために異なる位置で使用できる。これらの機能の間で選択するために、操作ノブをスクリーン上で対応的に移動させれば十分である。
【００３３】
ノブの配置の結果、表面及びセンサー装置はそれぞれ可能なオプションに独立して適合する。
【００３４】
本発明の別な側面によれば、操作ノブは、制御装置に対する当該操作ノブの相対位置に依存して異なる表示要素を有してもよい。制御装置の操作はこの手段によってもさらに改良される。
【００３５】
操作ノブは、特に制御装置に対するその相対位置に依存して、ホブ装置のどの構成部品が操作ノブによりそれぞれの位置で制御されるかを自動的に識別でき、それに依存して、これら構成部品の操作状態に関する情報の異なる項目を表示できる。
【００３６】
更なるバリエーションによれば、タッチスクリーン及び／又は操作ノブに加えて又は代えて、制御装置は、遠隔制御、特に電波式遠隔操作によって操作できる。この目的のために、それは対応する受信機モジュールを具備してもよい。特に、移動式無線装置により、特に適切なアプリケーションソフトウェアにより、及び／又はセンサーの補助により、制御装置の機能を制御することが可能である。特に、無線（ラジオ）、ブルートゥース（登録商標）、ＷＬＡＮ又はＩＲセンサーがセンサーとして機能する。
【００３７】
本発明の別な側面によれば、制御装置は、そこに実際に接続した構成部品に自動的に適合するように構成される。特に、ユーザーインターフェースが、制御装置に実際に接続した構成部品に自動的に適合するように構成される。制御装置は、当該制御装置に接続した構成部品への自動適合のための異なるハードウェアモジュールを有する。ハードウェアモジュールは、接続した構成部品とのリンク及び連絡のために具体的に構成される。制御装置は異なるソフトウェアアセンブリを有する。これらソフトウェアアセンブリは潜在的に接続される構成部品に従って予め構成される。ソフトウェアアセンブリは、これら構成部品の制御のために実際に接続した構成部品に従って使用できる。制御装置は、ハードウェア構成部品及び／又はソフトウェアアセンブリを自動的に選択するためのソフトウェアを有する。結局、制御装置のための設置・取り付け工程がより簡単且つより効率的になる。
【００３８】
制御装置の異なる機能性もまた、ユーザー入力を介して、特に取り付けメニュー又は設定メニューにおいて提供される又は隠される。特に、異なる構成部品の制御のためのそれぞれの電力供給システム状態の接続情報、例えば異なる構成部品のための最大利用電力を考慮することが可能である。
【００３９】
本発明の別な側面によれば、制御装置は、制御装置に接続した構成部品の全て又は所定の一部を制御するために互いに独立して構成される多数のユーザーインターフェースを有する。制御装置は、従って、ユーザーにより多数の位置から操作される。特に、多数のユーザーによる特に同時の操作が可能である。
【００４０】
本発明の別な側面によれば、制御装置は、カプセル収納モジュールとして構成される。それは特に、専用ハウジングを有してもよい。これは制御装置の設置を容易にする。さらに、これは制御装置の特に堅牢な実施形態をもたらす。本発明の別な側面によれば、制御装置は、別個のモジュールとして構成されるか、煙霧排出装置に一体化される。それは特に煙霧排出装置の取り付けフレームに一体化されてもよい。これは、制御装置に対する煙霧排出装置の配置及びホブの配置を容易にする。
【００４１】
本発明の別な側面によれば、制御装置は、外部センサーに接続するためのインターフェース及び／又は内部センサーを有する。センサーは、圧電性、容量性、誘導性、光学的及び／又は磁気的な作用原理に基づく。センサーは、特にホブのため、特に制御装置のため、特にホブ上に位置するポットやフライパンのために、温度センサーとして、ウィンドウ接触スイッチとして、グリースフィルターインサートの位置を識別するように、及び／又はホブ上に位置するポットを識別するように構成される。センサーはまた、煙霧排出装置の、特にその入口開口の障害物を識別できる。内部センサーは、特に煙霧排出装置のグリースフィルターの位置を識別するように構成される。制御装置はしたがって、センサーによって監視される状態に自動的に反応できる。例として、制御装置に接続した構成部品の閉ループ制御が実行できる。制御装置は例えば、欠落した又は不正確に取り付けられたグリースフィルターに反応でき、それによりホブ装置の機能性が制限されるか、ユーザーがウォーニングインジケータによりそれに気づかされる。制御装置はホブの安全且つ確実な操作に寄与する。
【００４２】
本発明の別な側面によれば、制御装置は、インターフェースに接続した構成部品を自動的に識別するために、信号ベースのコーディングを検出できる。それら複数のインターフェースは構造上同一に構成されてもよい。それに代えて、制御装置は、構造上別個の接続構造（connection geometries）を有するインターフェースを有する。例として、インターフェースは、非対称に作られたソケット又はプラグとして構成されてもよい。異なる構成部品の誤った接続を防止するために、インターフェースのソケット又はプラグ、又はそれらを取り囲む制御装置のハウジングの領域のソケット又はプラグは、溝又はリブを有してもよい。
【００４３】
それら構成部品は、特に、非対称プラグ、特にアンギュラープラグを有する接続レバーを介してインターフェースに接続される。この場合、プラグは、特にそれらが単一の所定の位置及び／又は向きでのみそのためにそれぞれ設けられたインターフェースに差し込めるように構成される。それにより、構成部品の故意でない不正確な接続が簡単に防止される。制御装置はしたがって、構成部品の接続に際して特に簡単に構成できる。
【００４４】
本発明の別な目的はホブを改良することである。
【００４５】
この目的は、コントローラの無いホブによって、すなわち一体化したコントローラの無いホブ、特にコントローラエレクトロニクスの無いホブによって達成される。ホブの構成は結局著しく単純化される。さらに、ホブ上の料理領域の配置が結局単純化される。ホブは、特に入力フィールド無しで、すなわち操作面無しで構成できる。それは、特に別個の操作要素無しで構成できる。ホブは、制御装置への接続ケーブルを介してのみ操作できる。
【００４６】
コントローラの無い又は操作制御の無いホブは、放射線ベースホブ又は誘導ホブであってもよく、又は熱伝達に基づいてもよい。特に、電気ホブ又は電気制御可能なホブが含まれる。特に、グリル又は鉄板（griddle）も含まれる。コントローラ無しで構成されたホブを介する電力出力は可変であり、ホブコントローラによって設定できる。このようなホブコントローラの無いホブはその寸法に関して特にコンパクトである。ホブコントローラは、特にホブの外側の別個のコントローラ装置に配置されてもよい。例として、当該ホブコントローラは制御装置に一体化される。コントローラの無いホブは、ホブを介する電力出力を切り替えるためのアクチュエータを有してもよい。当該アクチュエータは、制御装置又は別個のホブコントローラを介して制御される。例として、コントローラ無しで構成されるホブは誘導ホブ（induction hob）であり、アクチュエータは、ホブを介する所定の電力を出力するためのコントローラ装置により制御されるパワーエレクトロニクス装置である。それに代えて、ホブはガスホブであり、アクチュエータは制御装置を介して制御されるガス栓である。
【００４７】
料理領域は、特にホブの全面積の、少なくとも５０％、特に少なくとも６０％、特に少なくとも７０％、特に少なくとも８０％、特に少なくとも９０％、特に少なくとも９５％、特に少なくとも９７％、特に少なくとも９９％に対応する全面積を占める。
【００４８】
ホブからコントローラ要素を除去することで、特に、ホブ及び／又は水分及び／又は電磁場、特に干渉により生成される熱によるその影響を回避することが可能になる。
【００４９】
さらに、ホブのコントローラの無い構成は、その設計構成のための自由スペースを拡大する結果を有する。
【００５０】
本発明の別な側面によれば、ホブは、信号ベースのコーディング用の電子部品又は制御装置による当該ホブの自動識別のための構造的に別個の接続構造、特に具体的に構成された接続プラグを有する。接続プラグは特にアンギュラー式（angular fashion）に構成されてもよい。したがって、ホブは簡単に制御装置により識別される。
【００５１】
本発明の別な目的は、煙霧排出装置、特にモジュラーホブ装置の煙霧排出装置を改良することである。
【００５２】
この目的は、上の記述に従う一体化された制御装置を有する下降気流換気扇の形式の煙霧排出装置により達成される。その利点は制御装置の利点から明らかである。
【００５３】
煙霧排出装置は、特にホブ装置の異なる複数のホブを制御できる。これは、特に分散制御を含んでもよい。
【００５４】
煙霧排出装置は特に、調理器具用の煙霧排出装置である。特に、いわゆる下降気流換気扇（下降気流装置とも称される）が含まれる。
【００５５】
煙霧排出装置は、キッチン天板に挿入可能な搭載ユニットとして、特に完成組立搭載ユニットとして構成されてもよい。これは煙霧排出装置の取り付けを容易にする。
【００５６】
煙霧排出装置は特に、それが同じ高さの表面を有する天板に挿入可能であるように構成される。それは、天板のレベルより上で上方に突出する構成部品を有しないように構成されてもよい。
【００５７】
本発明の別な目的は、モジュラーホブ装置を改良することである。
【００５８】
この目的は、上の記載に従う制御装置を有するモジュラーホブ装置により達成される。その利点は制御装置の利点から明らかである。
【００５９】
ホブ装置は少なくとも１つのホブを有する。それは好ましくは、少なくとも２つのホブを有する。それはまた、３，４，５，６又は７以上のホブを有してもよい。ホブは、異なるホブの選択肢から任意に選択できる。特に、ホブの数は可変に選択できる。制御装置は、それが異なる数のホブ及び／又は煙霧排出装置を制御するのに適しているように構成される。
【００６０】
ホブの可能なバリエーションに関して、上の記載を参照されたい。
【００６１】
対応的に、少なくとも１つの煙霧排出装置に関して、上の記載を参照されたい。
【００６２】
本発明の別な側面によれば、少なくとも１つのホブは制御装置により制御される。それは、制御装置により特に排他的に及び／又は完全に制御される。ゆえに、ホブ又は複数のホブは、操作パネル及び／又はコントローラ装置、特に電子制御装置が無くてもよい。結局、加熱要素を具備するホブの面積割合を増加させることが可能である。さらに、操作パネルへの温度影響が結局回避される。最終的に、ホブの設計のより大きい自由度が操作パネルの省略により可能になる。さらには、ホブの構成が操作パネルの省略によって単純化される。結局、ホブは特により省スペースな構成で実施される。それらは特により小さい構造高さで構成される。ホブの構造高さは、特に１０ｃｍ未満、特に５ｃｍ未満、特に３ｃｍ未満、特に２ｃｍ未満、特に１ｃｍ未満であってもよい。
【００６３】
本発明の別な側面によれば、少なくとも１つの制御装置はホブ装置の全ての構成部品を制御するのに適している。それは特に、ホブ装置の全てのホブ及び／又は煙霧排出装置を制御するよう機能する。制御装置はまた、別な構成部品を制御するために設けられる。それは特に、別な複数のユニットを接続するための複数のインターフェースを有してもよい。
【００６４】
制御装置は、特に信号伝送式にホブ装置の全てのホブ及び／又は煙霧排出装置に接続している。
【００６５】
それは全てのホブのための中央制御装置を形成する。
【００６６】
本発明の別な側面によれば、ホブ及び煙霧排出装置は中央制御装置を介して互いに結合される。結局、煙霧排出装置を自動的に１又は複数のホブの操作状態に結合することが可能である。
【００６７】
本発明の更なる有利な詳細は、以下に要約して記載したオプションの特徴から明らかである。これらの特徴は、既に述べた本発明の特徴と任意に組み合わせることができる。互いのうちの複数の特徴の任意の組み合わせも可能である。
【００６８】
モジュラーホブ装置は、特にコンパクトなデザインで具体化できる。この場合、煙霧排出装置は下降気流換気扇として具体化され、煙霧排出装置の排出開口は特に２つのホブの間に配置される。煙霧排出装置の開口は、ホブ平面と同じ高さで終端する。それは特に、２０ｍｍ未満、特に１０ｍｍ未満、特に５ｍｍ未満、特に２ｍｍ未満であるホブ平面からの垂直距離だけ離れている。煙霧排出装置のモーターはホブのうちの１つのすぐ下に配置されてもよい。モーターは、特に台所戸棚のベース領域において、ホブ装置から距離を置いて別個のファンアセンブリとして配置されてもよい。
【００６９】
排気を案内する流路がホブのすぐ下に配置されてもよい。当該流路は実質的に水平方向に少なくとも部分的に延びる。排気を案内する流路はフィルターユニットを受容するように構成されてもよい。排気を案内する流路は、フィルターユニットを案内し、取り外すための開口を有し、当該開口はフラップにより閉鎖可能である。フィルターユニットの存在、特にその正しい位置が１又は複数のセンサーにより検出できる。流入格子を用いた部分的に閉じたソリューションも排気を案内する流路のために可能である。
【００７０】
フィルターユニットの使用により、煙霧排出装置が循環空気装置として作動できるようになる。この場合、料理煙霧を取り除いた空気が内部に戻される。浄化空気は、吹き出し開口を介して生活領域に戻される。当該吹き出し開口は、前に向かって、又は後ろに向かって、又は左側に向かって、又は右側に向かって、又は上方に、又は下方に、ユーザーの方向に向けられる。制御装置は煙霧排出装置のハウジングに一体化されている。制御装置は、煙霧排出装置の排出開口のキャリア枠に配置でき、特に固定されてもよい。
【００７１】
フィルターユニットは交換可能である。それは特にカートリッジ装置として具体化されてもよい。
【００７２】
コンパクトなホブ装置の全高は、３００ｍｍ未満、特に２５０ｍｍ未満、特に２００ｍｍ未満、特に１５０ｍｍ未満、特に１００ｍｍ未満である。コンパクトなホブ装置の特に省スペースな構成の結果、キッチン天板の下の利用可能な貯蓄スペースの増加を実現することが可能である。
【００７３】
排出ガイドの流路はまた、ホブの後側に配置されてもよく、排気を垂直下方に案内できる。排気はまた、ホブの両サイドのうちの１つに向かって、左に向かって又は右に向かって案内されてもよい。
【００７４】
ホブ装置は、２以上のホブ、特に２以上の別個のホブモジュールを有してもよい。ホブモジュールは、特に異なってもよい。好ましくは、ホブ装置に接続したホブのうちの少なくとも２つが異なる。ホブ装置は、同一タイプの多数のホブを有してもよい。ホブ装置はまた、１以上の煙霧排出装置を有してもよい。煙霧排出装置の排出開口はホブ装置の縁に配置されてもよい。例として、排出開口は多数のホブの間に配置できる。排出開口は特に２つのホブの間に形成されてもよく、ホブと同じ縁長さを有してもよい。排出開口はまた、２以上のホブの間に中央に又は中央から外れて配置されてもよい。排出開口は、丸く、特に円、楕円又は長方形、特に非正方形、特に正方形に構成されてもよい。
【００７５】
モジュラーホブ装置用の制御装置は、超低電圧レンジで、特に５０Ｖ未満、特に３０Ｖ未満、特に２０Ｖ未満の電圧で操作される。制御装置のエネルギー供給は別個の電源ユニットを介して実行される。
【００７６】
制御装置は多数の接続部を有する。エネルギー供給のために、制御装置は、電力線を介して電源ユニットに接続している。特にホブの複数の構成部品の、制御装置への接続のために、制御装置は多数の有線インターフェースを有する。特にホブの複数の構成部品の、制御装置への接続のために、無線インターフェースもまた設置され得る。構成部品は制御線を介して制御装置に接続されてもよい。例として、制御装置は、ホブ、煙霧排出装置、排気弁、照明装置、マルチメディアシステム及び他のコンシューマーから選択される。
【００７７】
インターフェースは、異なるホブがそこに接続できるように構成される。ホブは特にエネルギー伝達のためのそれらの機構に関して異なる。
【００７８】
制御装置は、外部センサー装置に接続するための付加的なインターフェースを有してもよい。制御装置に接続したセンサーの作用原理は、熱電気、抵抗、圧電、容量、誘電、光学又は磁気である。センサーは、特にホブ、ホブ上に位置するポット及びフライパンのために、温度センサーとして、ウィンドウ接触スイッチとして、グリースフィルターインサートの位置を識別するように、及び／又は制御装置のためにホブ上に位置するポットを識別するように構成されてもよい。
【００７９】
制御装置はさらに、制御情報をユーザーと交換するためにユーザーインターフェースを有する。制御装置は、有線接続に加えて付加的な無線インターフェースを有してもよい。制御装置は、例えば、無線モジュール、無線周波数モジュール、ブルートゥース（登録商標）モジュール及び／又はＷＬＡＮモジュールを有する。
【００８０】
例として、ユーザーインターフェースは無線インターフェースを介して制御装置に接続してもよい。インターフェースを介する通信は、バスシステム、特にＬＩＮバスシステム又はマルチマスターバスシステムにより実行できる。
【００８１】
好ましくは、制御装置は、電気絶縁（galvanic isolation）により電力回路から分離される。電気絶縁は、静電容量的に電気誘導により又は光結合器（optocouplers）により構成されてもよい。制御装置の制御回路はしたがって、電力回路から確実に分離される。
【００８２】
制御装置は、サービス情報、メンテナンス情報及び／又はソフトウェアアップデートを交換するための複数のインターフェースを有してもよい。特に無線インターフェースがこの目的のために使用できる。制御装置は、この目的のために別個のＵＳＢ接続部を有してもよい。好ましくは、ソフトウェアアップデートはインターネット経由でオンラインでなされ、制御装置に伝えられる。
【００８３】
モジュラーホブ装置用の制御装置は、接続した構成部品に従って自動的に構成されてもよい。制御装置の自動構成は特にユーザー入力無しで実行される。接続した構成部品の種類、数、位置及び／又は向きが自動的に識別される。
【００８４】
構成部品は、例えばモジュラーホブ装置の異なる位置に配置でき、及び／又は垂直軸周りに異なって回転した態様で指向してもよい。よって、１以上の料理箇所を有するホブは顧客のアイデアに従って方向づけられ、特定の料理箇所は例えば天板の前側に配置される。
【００８５】
制御装置に接続した構成部品の自動識別は、ハードウェア及びソフトウェアコーディングにより、又は有線インターフェースの接続構造により構造的に実行できる。
【００８６】
制御装置に無線でリンクした構成部品はソフトウェアコーディングにより自動的に識別され得る。
【００８７】
制御装置に接続した構成部品はまた、ホブ及び排出装置に加えてフラップモーター及び／又はルーフフラップモーター（roof flap motor）を有してもよい。
【００８８】
制御装置はホブのみを制御するために使用できる。それに代えて、制御装置は排出装置のみを制御するために使用できる。
【００８９】
制御装置は、そこに接続した異なる構成部品の機能を一緒に自動的に組み合わせることができ、その結果ジュラーホブ装置の操作が改良される。
【００９０】
煙霧排出装置の自動的起動がホブの起動に際して実行されてもよい。
【００９１】
煙霧排出装置の電力は、起動したホブの数及び電力に従って自動的に適合されてもよい。
【００９２】
切り替えられなければならないフラップモーター及び／又はルーフフラップモーター及び／又は別な装置は、ホブの起動に際して切り替えられてもよい。
【００９３】
センサー情報は、制御装置による排出装置や他の構成部品の自動的起動についての決定を行うために使用できる。
【００９４】
構成部品を制御装置によりスイッチオフすることも可能である。特定の温度値を超えた場合に、ホブはスイッチオフされてもよい。ホブから取り外されたポットはポット識別により識別できる。この場合も、制御装置はホブスイッチオフ用の信号を提供できる。
【００９５】
コントローラはまた、同じ電源により供給（給電）されない構成部品、特にホブを遮断してもよい。
【００９６】
例として、全てのホブが非活性化されるか、全てのホブの非活性化後に特定の期間が経過した場合に、制御装置はまた煙霧排出装置をスイッチオフできる。
【００９７】
制御装置は、情報をユーザーと交換するためのユーザーインターフェースを有する。制御装置は、ＴＦＴスクリーンを有してもよい。ＴＦＴスクリーンを介して、接続した構成部品の電力情報、温度情報、メンテナンス情報、構成情報、センサー情報及び／又はサービス情報がユーザーに入手可能となる。ユーザーによる入力のために、スクリーンは接触層（touch-sensitive layer）を有してもよく、それによりタッチスクリーンの形式で構成できる。接触層は、抵抗センサー、容量性センサー、誘導センサー及び／又は光センサーとして構成されてもよい。接触層を有するＴＦＴスクリーンにより、特に簡単且つ確実にユーザーによる制御指令の入力が可能になる。
【００９８】
ユーザーによる効率的な操作のために、制御装置は、ＴＦＴスクリーンを介して様々な表示バリエーションを表現するように構成できる。制御装置に接続した構成部品は記号を用いて表現されてもよい。早い操作のために、第１表示バリエーションにおいて、接続した構成部品の記号をはじくかスワイプすれば十分であり、それを制御できる。例として、ホブの電力はＴＦＴスクリーンをはじく（フリック）かスワイプすることで制御できる。スワイプ又はフリックは、直線的、弧状又は円形に実行できる。フリック／スワイプと叩く（タップ）の組み合わせも実行できる。第２表示バリエーションでは、制御装置に接続した構成部品は詳細に制御できる。制御装置に接続した構成部品を制御するために、例えばプラス／マイナスボタンが表示され、これはタップにより作動される。第１表示バリエーションは、それが第２表示バリエーションに比べて可能な制御オプションのうちの適切なサブセットのみを利用可能にする点を特徴とする。可能な制御オプションのうちの更なる（空でない）サブセットは第１表示バリエーションでは利用可能でない。
【００９９】
制御装置の自動構成は、ユーザーの自動構成を有する。制御装置に接続した構成部品に従い、様々な表示バリエーションがＴＦＴスクリーンに表される。接続した構成部品に対応する記号がＴＦＴスクリーン上に自動的に配置される。接続した構成部品のために、個々の制御オプションがユーザーにそれぞれ提供されてもよい。ＴＦＴスクリーンを介して表される表示バリエーションは、自動的に構成されるか、個々に設計される。
【０１００】
制御装置のＴＦＴスクリーンは、それがスイッチオフ状態でガラス板の上側から実質的に見えないように、ガラス板の下面にフィットされてもよい。この目的のために、ガラス板は、９０％未満、特に８０％未満、特に７０％未満、特に５０％未満の程度の光透過性である。ガラス板は、部分的にのみ光透過性の薄膜で着色され（陰影を施され）又はコーティングされてもよい。
【０１０１】
ナチュラル黒ピクセルを有するディスプレイがＴＦＴスクリーンのために使用される。
【０１０２】
有利には、ＴＦＴスクリーンは特に強烈なブラックライトを有する。ブラックライトは好ましくは、少なくとも６００ｃｄ／ｍ２、特に少なくとも９００ｃｄ／ｍ２、特に少なくとも１０００ｃｄ／ｍ２の強度を有する。
【０１０３】
ＴＦＴスクリーンは、特に液体様式で、特に気泡無しにガラス板に接着剤により接着される（光学接着）。
【０１０４】
接触ＴＦＴスクリーンは、冗長に具体化されてもよい。接触ＴＦＴスクリーンの冗長構成のために、接触センサー及び／又はそこに接続した評価ユニットが冗長に構成される。１つの有利な実施形態のバリエーションでは、評価ユニットは２倍具体化され、接触センサーは１倍具体化される。２倍の冗長度を有する評価ユニットの構成は、感知した入力のもっともらしさ（plausibility）比較を可能にする。接触ＴＦＴスクリーンの冗長構成は、例えば脂肪の飛び散りによるＴＦＴスクリーンの汚染の場合でもユーザー入力の確実な識別を可能にする。
【０１０５】
制御装置は、双対演算（dual operation）のために構成されてもよい。制御装置は、２以上のユーザーインターフェースを有してもよい。制御装置に接続した全ての構成部品は各々のユーザーインターフェースを介して制御される。制御装置はまた、制御装置に接続した構成部品の一部のみがそれぞれのユーザーインターフェースを介して制御されるように構成されてもよい。
【０１０６】
制御装置は、カプセル収納モジュールとして構成されてもよく、専用のハウジングを有してもよい。ハウジングは、液密（fluid-tight）として、特に液密（liquid-tight）に構成されてもよい。制御装置は、ホブの外側、キッチン天板上に配置されるか、そこに一体化されてもよい。制御装置はまた、ホブに一体化されてもよい。それに代えて、制御装置はホブとホブの間に配置されてもよい。制御装置は、煙霧排出装置に一体化されてもよい。特に、制御装置のユーザーインターフェースは煙霧排出装置に一体化されてもよい。制御装置は、煙霧排出装置の排出開口のキャリア枠にフィットできる。１つの有利な実施形態では、制御装置のＴＦＴスクリーンと排出開口のキャリア枠は、共にガラス板にフィットされる、特にそこに接着剤により接着される。制御装置はまたキャリア枠にねじ留めされてもよい。それは、特に解除可能にキャリア枠に接続される。１つの変形例によれば、制御装置は、解除不能にキャリア枠に接続される。
【０１０７】
モジュラーホブ装置は、２つの回路、制御装置及び電力回路（又は負荷回路）を有する。電力回路は、電気コンシューマーにエネルギーを供給するよう機能する。電気コンシューマーは、ホブや煙霧排出装置などの制御装置に接続した構成部品である。電力回路は、電力供給システムに接続している。制御装置は、特に電気絶縁により電力回路から分離している。制御装置は、制御回路の一部である。制御装置へのダメージが制御回路と電力回路の分離のおかげで確実に回避される。
【０１０８】
制御装置に接続した構成部品は、異なるタイプのエネルギー供給用エネルギー源に接続してもよい。
【０１０９】
制御装置は特に、５０Ｈｚ又は６０Ｈｚで電力供給システムに接続してもよい。それは、２３０Ｖ，２４０Ｖ又は１１０Ｖのいずれかの操作電圧で操作される。それは、単相、２相、３相、４相又は５相の電力供給システムに接続してもよい。
【０１１０】
構成部品は、ガス接続、温水接続又は蒸気接続を有してもよい。
【０１１１】
制御装置はまた、エネルギー供給を行いながらそこに接続した構成部品を完全に制御できる。ゆえに、構成部品のエネルギー供給装置への別個の接続は必要でない。
【０１１２】
本発明の更なる利点及び詳細は、図面を参照した例示の実施形態の記載から明らかになろう。
【図面の簡単な説明】
【０１１３】
【図１】中央制御装置を有するモジュラーホブ装置の構成部品を概略的に示す。
【図２】２つのホブユニット、煙霧排出装置及び制御装置を有するモジュラーホブ装置の上からの図を概略的に示す。
【図３】３つのホブユニット、２つの煙霧排出装置及び制御装置を有する図２に従う図を示す。
【図４】２つのホブユニット、煙霧排出装置及び別個の制御装置を有する家具に一体化されたホブ装置の斜視図を概略的に示す。
【図５】１つの代替（バリエーション）に従う中央制御装置を有するモジュラーホブ装置の構成部品を概略的に示す。
【発明を実施するための形態】
【０１１４】
ホブ装置１の様々な詳細を図面に関連して以下に記載する。
【０１１５】
図１は、ホブ装置１の基本構成を非常に概略的に示す。ホブ装置１は中央制御装置２を有する。制御装置２は多数のインターフェース３を有する。それは制御線４により信号伝送式に別な構成部品、特にホブ５に接続している。
【０１１６】
ホブ装置１は、特に多数のホブ５を有する。ホブ５は、ガラスセラミックホブ、放射エレメントホブ、誘導加熱ホブ、鉄板ホブ、ガスホブ（特にＥガスホブ）、グリルホブ、鉄板（griddle）又は他のホブである。たっぷりの油で揚げるフライヤーや真空調理ユニット（sous vide unit）も含まれる。ホブ５は好ましくは電気ホブ、すなわち電気エネルギーを直接又は間接に熱に変換するホブである。
【０１１７】
さらに、ホブ１は煙霧排出装置６を有する。煙霧排出装置６は特に下降気流換気扇である。
【０１１８】
特に、ホブ１は、複数の別な要素又はユニットを有してもよい。原則として、例えば、オーブン及び／又はスチーマー及び／又はマイクロ波器具及び／又は自動コーヒー機械及び／又は別な電気器具（例えば、冷蔵庫、冷凍庫、ケトル又は照明）を制御装置２に接続することが可能である。
【０１１９】
制御装置２は、特に、インターフェース３、ホブ５又は煙霧排出装置６又は他の器具が接続されているかどうか、またそれぞれどこに接続されているかを検出するために使用できる複数のセンサーを有する。それらセンサーは特に、どんな種類のホブ５がここに含まれるかを検出するために使用できる。
【０１２０】
制御装置２を操作するために、操作ユニット７が設けられている。操作ユニット７はデータ伝送式に制御装置２に接続している。
【０１２１】
操作ユニット７は、１又は複数の接触センサー、特に１又は複数のタッチスクリーン９、特に薄膜トランジスタディスプレイ（ＴＦＴディスプレイ）を有してもよい。
【０１２２】
タッチスクリーン９のディスプレイは、制御装置２に接続したホブ５及び／又は煙霧排出装置６に依存して設計されてもよい。好ましくは、制御装置２は、タッチスクリーン９、すなわちそのディスプレイが、制御装置２にそれぞれ実際に接続した電気器具に自動的に適合するように構成される。
【０１２３】
タッチスクリーン９はまた、別な情報及び／又は信号を表示するために使用できる。例えば、タッチスクリーン９を、例えば映画を表示するためのコンシューマー電子機器用のディスプレイとして、特にＴＶスクリーンとして使用することができる。この目的のために設けられる器具も制御装置２に接続できる。その代わりとして、それら器具はタッチスクリーン９に直接接続されてもよい。
【０１２４】
操作ユニット７も、１又は複数の操作ノブ８によって操作可能である。操作ノブ８は、特に取り外し可能である。操作ノブ８は、特に制御装置２に対するその相対位置に依存して異なる機能を有してもよい。
【０１２５】
図２及び３に概略的に示されるように、ホブ装置１は、異なるホブ５を有する。ホブ装置１は、多数の同一のホブ５を有してもよい。
【０１２６】
ホブ装置１は、多数の煙霧排出装置６を有してもよい。煙霧排出装置もまた制御装置２によって制御可能である。図３（右側）に概略的に示されるように、制御装置２は複数の煙霧排出装置６のうちの１つに一体化されてもよい。煙霧排出装置６をコントローラ無しで構成し、制御のために制御線４によって信号伝送式に制御装置２に接続することも可能である（図３、左側）。
【０１２７】
制御装置２による煙霧排出装置６とホブ５との共同制御により、煙霧排出装置６の制御をホブ５の制御に結合することができる。
【０１２８】
ホブ５は、特にそれぞれ、専用の別個の制御装置無しで、特に制御エレクトロニクス無しで構成できる。ホブ５は、特にコントローラ無しで構成される。ホブは、特に非独立式に構成されてもよい。この場合、それらは操作目的のために制御装置２に接続されねばならず、すなわち信号伝送式に制御装置２に接続されねばならない。
【０１２９】
ホブ５のコントローラの無い構成の結果、その操作制御への温度影響が回避される。さらに、湿度及び／又は電磁干渉から生じる悪影響が結局回避される。
【０１３０】
ホブ５は特に操作パネルが無くてもよい。ホブ５上の料理領域１０の配置の柔軟性が結局増大する。料理領域１０は、特に実質的にホブ５の全領域に配置されてもよい。特に、実質的に全面積にわたって料理領域１０を備えたホブ５を構成することが可能である。料理領域１０は、ホブ５のうちの１つの全面積の特に５０％より多い、特に６０％より多い、特に７０％より多い、特に８０％より多い、特に９０％より多い、特に９５％より多い面積を占めてもよい。
【０１３１】
ホブ装置１、特にホブ５は、特にモジュールとして（modularly）構成される。
【０１３２】
ホブ５は、制御装置２により特に独占的に及び／又は完全に制御される。この目的のために、それらホブは制御線４によって信号伝送式に制御装置２に接続している。
【０１３３】
制御線４はホブ５の電源のために同時に機能する。その代わりとして、ホブ５は別個の電力線、特に接続プラグを有してもよい。
【０１３４】
図２，３に概略的に示されるように、制御装置２は、煙霧排出装置６のモジュールに一体化されてもよい。制御装置２及び煙霧排出装置６は、特に共通搭載ユニットに一体化されてもよい。この場合、別個のインターフェース３、特に制御装置２と煙霧排出装置６の間の別個の制御線４を省くことが可能である。
【０１３５】
その代わりとして、制御装置２は別個のモジュールとして構成されてもよい。これは図４に概略的に、例として示されている。
【０１３６】
別個のモジュールとしての制御装置２の構成により、制御装置２、特に操作ユニット７を、ホブ５及び／又は煙霧排出装置６から距離を置いて配置することが可能となる。
【０１３７】
同様に図４に示されるように、操作ノブ８は取り外し可能である。
【０１３８】
キッチンベース戸棚１２上の天板１１へのホブ装置１の配置が図４において例として示されている。料理煙霧を外に導く換気流路は図４にはより詳細に示されていない。煙霧排出装置６の対応する詳細及び更なる特徴のために、特に特許文献１及び特許文献３が参照される。その両方がこれによってその一部として本願に組み込まれる。
【０１３９】
コントローラの無いホブ５の構成により、特に、極めて小さい構造高さを有する当該ホブを構成することが可能になる。ホブ５の構造高さ又は取り付け深さは、特に１０ｃｍよりも小さく、特に５ｃｍよりも小さく、特に３ｃｍよりも小さく、特に２ｃｍよりも小さく、特に１ｃｍよりも小さい。
【０１４０】
図５は、１つの変形例に従うホブ装置１の基本構成を概略的に示す。制御装置２は、超低電圧線（extra-low-voltage lines）１４を介して電源ユニット１３に接続している。電源ユニット１３は、電源装置接続線１５により電力供給システム１６に接続しており、制御装置２に電力、特に超低電圧レンジを供給する。電源ユニット１３はしたがって、制御回路から電源回路を分離する。制御装置２は、制御線を介して複数の外部センサー１７に接続している。外部センサー１７は、例えばホブ５の温度を監視するため、ポットを識別するため、又は窓位置を識別するために使用できる。それに代えて又は加えて、制御装置２は複数の内部センサー１８を有する。内部センサー１８は、とりわけグリースフィルター位置を検出するために使用される。
【０１４１】
内部センサー１８はまた、温度監視のために使用できる。結局、ホブ装置の過熱が確実に防がれる。
【０１４２】
別なコンシューマー１９が制御装置２に接続しており、また電力供給システム１６に接続している。コンシューマー１９は照明であってもよい。制御装置２はさらに、接触ＴＦＴスクリーンの形式のユーザーインターフェース２０を有する。コンシューマー１９及びホブ５は、制御接続部２１を介して制御装置２に接続し、電源装置接続部２２を介して電力供給システム１６に接続している。コンシューマー１９及びホブ５はそれに代えて、エネルギー線２４及びエネルギー接続部２５を介して別なエネルギー源２３に接続してもよい。例として、ホブ５はガスホブであり、エネルギー源２３はガス接続部である。
【符号の説明】
【０１４３】
２  制御装置
３  インターフェース
４  信号接続部
５  ホブ
６  煙霧排出装置
【図１】
2019510957.tif 000003
【図２】
2019510957.tif 000004
【図３】
2019510957.tif 000005
【図４】
2019510957.tif 000006
【図５】
2019510957.tif 000007
【手続補正書】
【提出日】平成30年12月6日(2018.12.6)
【手続補正２】
【補正対象書類名】明細書
【補正対象項目名】０００２
【補正方法】変更
【補正の内容】
【０００２】
本発明は、モジュラーホブ装置用の制御装置に関する。本発明はさらに、一体化された制御装置を有する煙霧排出装置に関する。最後に、本発明はモジュラーホブ装置に関する。
【手続補正３】
【補正対象書類名】特許請求の範囲
【補正対象項目名】全文
【補正方法】変更
【補正の内容】
【特許請求の範囲】
【請求項１】
下降気流換気扇の形式の煙霧排出装置（６）であって、
１．１  モジュラーホブ装置（１）用の一体化された制御装置（２）を有し、
前記制御装置は、
１．１．１  モジュール式に構成された複数のホブ（５）を接続するための少なくとも２つのインターフェース（３）と、
１．１．２  前記煙霧排出装置（６）を制御するための少なくとも１つの信号接続部（４）と、を有する
煙霧排出装置。
【請求項２】
特にエネルギー伝達のためのそれらの機構に関して異なる複数のホブ（５）を接続するための少なくとも２つのインターフェース（３）を有する、ことを特徴とする請求項１に記載の煙霧排出装置（６）。
【請求項３】
前記制御装置（２）が、タッチスクリーン（９）、及び／又は制御装置（２）に関するその相対位置に依存して異なる機能性を有する取り外し可能な操作ノブ（８）、を有する少なくとも１つのユーザーインターフェース（２０）を有する、ことを特徴とする請求項１又は２に記載の煙霧排出装置（６）。
【請求項４】
前記タッチスクリーン（９）が、制御入力を確実に識別するために、多数存在する接触センサー装置（１７，１８）の形式の、及び／又は多数存在する評価ユニットの形式の冗長なハードウェア構成部品を有する、ことを特徴とする請求項３に記載の煙霧排出装置（６）。
【請求項５】
前記制御装置（２）、特に前記ユーザーインターフェース（２０）が、そこに実際に接続した構成部品（５，６）に自動的に適合される、ことを特徴とする請求項３又は４に記載の煙霧排出装置（６）。
【請求項６】
前記制御装置（２）に接続した構成部品（５，６）の全て又は全数と比べて減少した一部を制御するために互いに独立して構成された多数のユーザーインターフェース（２０）を有する、ことを特徴とする請求項３〜５のいずれか一項に記載の煙霧排出装置（６）。
【請求項７】
前記制御装置が専用ハウジングを有するカプセル収納モジュールとして構成される、ことを特徴とする請求項１〜６のいずれか一項に記載の煙霧排出装置（６）。
【請求項８】
前記制御装置が、特にグリースフィルターの位置を識別するための複数の内部センサー（１８）を有し、及び／又は複数の外部センサー（１７）を接続するための複数のインターフェース（３）を有する、ことを特徴とする請求項１〜７のいずれか一項に記載の煙霧排出装置（６）。
【請求項９】
前記インターフェース（３）に接続した構成部品（５，６）を自動的に識別するために、制御装置（２）が、信号ベースのコーディングを検出でき、又は前記インターフェース（３）の構造的に別個の接続構造を有する、ことを特徴とする請求項１〜８のいずれか一項に記載の煙霧排出装置（６）。
【請求項１０】
モジュラーホブ装置（１）であって、
１０．１ 請求項１〜９のいずれか一項に記載の少なくとも１つの煙霧排出装置（６）、及び
１０．２ 少なくとも１つのホブ（５）
を有するモジュラーホブ装置（１）。
【請求項１１】
前記少なくとも１つの制御装置（２）が、ホブ装置（１）の全ての構成部品（５，６）を制御するのに適している、ことを特徴とする請求項１０に記載のモジュラーホブ装置（１）。
【請求項１２】
前記少なくとも１つのホブ（５）がコントローラを有しない、ことを特徴とする請求項１０又は１１に記載のモジュラーホブ装置（１）。
【請求項１３】
前記少なくとも１つのホブ（５）が、信号ベースのコーディング用の電子部品を有し、又は前記制御装置（２）による自動識別のための構造的に別個の接続構造を有する、ことを特徴とする請求項１０〜１２のいずれか一項に記載のモジュラーホブ装置（１）。
【請求項１４】
モジュラーホブ装置（１）用の制御装置（２）であって、
１４．１  モジュール式に構成された複数のホブ（５）を接続するための少なくとも２つのインターフェース（３）と、
１４．２  少なくとも１つの煙霧排出装置（６）を制御するための少なくとも１つの信号接続部（４）と、
１４．３  防沫の、特に液密の、及び／又は防塵のハウジングと、
を有する制御装置。
【国際調査報告】
2019510957.tif 000008
2019510957.tif 000009
2019510957.tif 000010
2019510957.tif 000011
2019510957.tif 000012
2019510957.tif 000013